(57)【特許請求の範囲】
【請求項１】
透視困難な隠蔽ラベル片と、この隠蔽ラベル片の裏面側に表面側を剥離可能に接合し、裏面側には粘着剤を設けた透視可能なシートと、この透視可能なシートの裏面側の一端側を除いて前記粘着剤を被覆した剥離紙と、この剥離紙で被覆されていない露出した粘着剤で前記透視可能なシートに表面側を接着し、前記剥離紙に対応する表面に前記隠蔽ラベル片で被覆隠蔽するための秘匿情報記入部を設け、裏面側には粘着剤を設けた秘匿情報記入片と、この秘匿情報記入片の裏面の前記粘着剤を被覆する剥離紙とからなり、前記隠蔽ラベル片の前記秘匿情報記入部に対応する部分を含む領域を区画形成するように、前記隠蔽ラベル片から前記秘匿情報記入片の裏面側に設けた剥離紙の表面にまで至る型抜部を設けたことを特徴とする秘匿情報隠蔽用ラベル。
【発明の詳細な説明】
【０００１】
【発明の属する技術分野】
本発明は、他人に知られたくない暗証番号等の秘匿情報をラベルで隠蔽した状態で伝達するための秘匿情報隠蔽用ラベルに関し、例えば、各種保険の返戻金や祝い金の受け取りを、自己の銀行等の口座を利用して引き出すためのカードの申込にあたって、申込書に暗証番号を記入することが必要となるが、この暗証番号をラベルで被覆隠蔽して、他人には知られないようにするための秘匿情報隠蔽用ラベルに関する。
【０００２】
【従来の技術】
従来から、種々の秘匿情報隠蔽用ラベルが存在するが、これら従来例におけるラベルは、秘匿情報を隠蔽するために、申込書等の秘匿情報隠蔽シートの所定位置に直接記入した秘匿情報の記入部分に対して、剥離可能に貼着し、必要に応じてラベルを剥離して秘匿情報を視認可能とするように構成されている。そして、申込書等の秘匿情報隠蔽シートにおける秘匿情報記入部分に対応する裏面に地紋印刷等を施して、裏面側からの透視防止を図っている。
【０００３】
【発明が解決しようとする課題】
しかしながら、申込書等の秘匿情報隠蔽シートに秘匿情報を記入する際、筆圧がかかることによって、シート面に凹凸が生じるので、地紋印刷等を施して、裏面側からの透視防止を図っても、記入事項である秘匿情報の痕跡を完全になくすことはできず、注意深く観察すれば、場合によっては、秘匿情報を判読されてしまうという不都合があった。本発明は、このような不都合を解消した、秘匿情報隠蔽用ラベルを提供することを目的とする。
【０００４】
【課題を解決するための手段】
この目的を達成するため、本発明の請求項１に記載の秘匿情報隠蔽用ラベルは、透視困難な隠蔽ラベル片と、この隠蔽ラベル片の裏面側に表面側を剥離可能に接合し、裏面側には粘着剤を設けた透視可能なシートと、この透視可能なシートの裏面側の一端側を除いて前記粘着剤を被覆した剥離紙と、この剥離紙で被覆されていない露出した粘着剤で前記透視可能なシートに表面側を接着し、前記剥離紙に対応する表面に前記隠蔽ラベル片で被覆隠蔽するための秘匿情報記入部を設け、裏面側には粘着剤を設けた秘匿情報記入片と、この秘匿情報記入片の裏面の前記粘着剤を被覆する剥離紙とからなり、前記隠蔽ラベル片の前記秘匿情報記入部に対応する部分を含む領域を区画形成するように、前記隠蔽ラベル片から前記秘匿情報記入片の裏面側に設けた剥離紙の表面にまで至る型抜部を設けたものである。
【０００５】
【発明の実施の形態】
以下、本発明を保険の口座カード申込書に使用する秘匿情報隠蔽用ラベルに適用した場合の好適な実施形態を添付図面に基づいて詳細に説明する。ここにおいて、図１は秘匿情報隠蔽用ラベルを示す平面図、図２は図１のＢ−Ｂ線断面図、図３は秘匿情報を記入した状態の斜視図である。
【０００６】
図１に示すように、秘匿情報隠蔽用ラベル３１は、透視困難な隠蔽ラベル片３２の裏面側に、透視困難性をより確実なものとするためにアルミ箔、スミインキ等による隠蔽層３３を設け、この隠蔽層３３の裏面側には、これとほぼ同一大で透視可能な樹脂製の透明シート３４の表面側を接着力の強い粘着剤（図示せず）で剥離困難に接着している。前記透明シート３４の裏面側には、疑似接着層３５を介して同じく樹脂製の透明シート３６の表面側を剥離可能に疑似的に接着し、これによって前記各透明シート３４，３６は、互いに剥離可能に疑似接着した２層シートとなり、前記透明シート３６が隠蔽ラベル片３２に対して剥離可能な透明シートを構成する。
【０００７】
上述の疑似的に貼着した透明シート３４，３６としては、相互間の接着性が低い材質を採用すると好適であり、例えば、ポリエチレンテレフタレートとポリエチレン、ポリプロピレンとポリエチレン、ポリブチレンテレフタレートとポリエチレン、ポリエチレンテレフタレートとポリプロピレン、ポリブチレンテレフタレートとポリプロピレン等、オレフィン系樹脂とエステル系樹脂等との組み合わせが好適である。
【０００８】
また、疑似接着層３５は、相互に接着性が低い透明シートフィルム３４，３６の間に、一方の透明シートと接着性を有する樹脂を溶融状態で塗布して、溶融樹脂と接着性の低い他の透明シートとの間に剥離可能な疑似的接着状態を形成すればよい。具体的には、ポリエチレンテレフタレートとポリエチレンの組み合わせからなる透明シート３４，３６の場合には、これら透明シート３４，３６の間に、一方のシートと同一材質の樹脂、例えばポリエチレンをエクストルージョンコートして、各透明シート３４，３６を積層することにより形成することができる。
【０００９】
そして、この剥離紙３８で被覆されずに露出する粘着剤３７により、透明シート３６、疑似接着層３５、透明シート３４、隠蔽層３３を介して、隠蔽ラベル片３２を秘匿情報記入片３９の左端側に捲り上げ可能に接着している。この接着位置は、秘匿情報記入片３９の秘匿情報記入部４０（図３参照）への記入に支障を来さないように設定している。さらに、前記秘匿情報記入片３９の裏面側には、接着力の強い粘着剤４１を塗布し、この粘着剤４１塗布面を剥離紙４２で被覆している。
【００１０】
隠蔽ラベル片３２の秘匿情報記入部４０に対応する部分を含む領域を区画形成するように、秘匿情報記入片３９の裏面側に設けた剥離紙４２の表面にまで至り、前記剥離紙４２内には至らないように、長方形状に型抜部４４を形成するよう切り込み４５を施している。また、図１で理解できるように、隠蔽ラベル片３２の表面には、型抜部４４の右端に半円状の割印捺印部４３を設け、秘匿情報隠蔽用ラベル３１の型抜部４４を後述する口座カード申込書の所定位置に接着したときに、前記口座カード申込書に設けた半円状の割印捺印部と対応位置するよう構成している。
【００１１】
隠蔽ラベル片３２の表面には、型抜部４４の外側に、「○○保険口座カード申込書暗証番号ラべル」という標題４６と、秘匿情報隠蔽用ラベル３１の使用方法に関する説明文４７を、設けている。また、秘匿情報記入片３９の表面には、同じく型抜部４４の外側に、秘匿情報記入部４０であることを示す「暗証番号」の文字と、暗証番号記入に関する説明文４８を設けている。
【００１２】
次に、秘匿情報隠蔽シートである、保険の払戻金などを預金口座からカードを使用して引き出すことを申し込む口座カード申込書（図示せず）について説明する。口座カード申込書の表面には、「○○保険口座カード申込書」という標題の下に、申込年月日記入欄、保険契約者情報記入欄、保険証券記号記入欄、送金指定口座情報記入欄、暗証番号記載部取扱保険会社名を表示した申込表示を設けている。
【００１３】
続いて、上述した秘匿情報隠蔽用ラベル３１の使用法を説明する。図３に示すように、２層シート３４，３６の裏面側の剥離紙３８を捲り上げて、秘匿情報記入片３９の秘匿情報記入部４０に秘匿情報である４桁の数字からなる暗証番号５２を記入する。次に、前記剥離紙３８を剥離して、前記秘匿情報記入片３９の表面に粘着剤３７によって透明シート３６の裏面を接着し、隠蔽ラベル片３２で暗証番号５２を視認困難に被覆隠蔽する。さらに、前記隠蔽ラベル片３２の型抜部４４を捲り上げて、剥離紙４２から、型抜部４４に対応する粘着剤４１までの部分を剥離する。
【００１４】
次に、この粘着剤４１によって、秘匿情報隠蔽用ラベル３１の型抜部４４を口座カード申込書の暗証番号記載部に接着する。そして、申込年月日記入部分欄、保険契約者情報記入欄、保険証券記号記入欄、送金指定口座情報記入欄にそれぞれ所定の事項を記入するとともに、隠蔽ラベル片３２と口座カード申込書の割印捺印部４３に割り印して、口座カード申込書への申込事項の記入が終了する。
【００１５】
一方、口座カード申込書を受け取った保険会社の担当者は、隠蔽ラベル片３２を捲り上げると、２層シート３４，３６が疑似接着層３５から剥離し、透明シート３６を口座カード申込書側に残した状態で、前記隠蔽ラベル片３２の型抜部４４は、隠蔽層３３及び透明シート３４とともに分離される。この状態で、図３に示すように、秘匿情報記入片３９の秘匿情報記入部４０に記入した暗証番号５２を、透明シート３６を透して視認することができる。そして、担当者は、この暗証番号５２に基づいて、所定の事務手続きを行うものである。
【００１６】
なお、本発明は上述した実施形態に限定されるものではなく、たとえば、隠蔽層３３は、隠蔽用ラベル片３２が充分な透視困難性を有する場合には設ける必要はない。また、割印捺印部４３も必ずしも設ける必要はないものである。さらに、秘匿情報隠蔽シートとしては、口座カード申込書のほか、各種の申込書をはじめとする秘匿情報を設けるシートに適用可能である。
【００１７】
さらに、隠蔽ラベル片３２の裏面側に透明シート３６を剥離可能に接着する構成としては、透明シート３６を疑似接着した透明シート３４を介して接着するほか、接着力の弱い再剥離性の弱粘着剤で直接的に剥離可能に貼着してもよい。この接着力の弱い再剥離性の弱粘着剤としては、例えば、天然ゴム、合成ゴム、酢酸ビニル−塩化ビニル共重合体等を主剤とし、ロジン誘導体、テルピン樹脂等の粘着付与剤及び剥離性を高めるシリカ等の各種充てん剤、老化防止剤等を添加してなるものを挙げることができる。また、疑似接着層３５の剥離を容易にするために、一方のシート面に剥離性を高めるシリコン層を形成したり、剥離開始端となる透明シート端に段差を形成してもよい。
【００１８】
【発明の効果】
以上説明したところで明らかなように、本発明の請求項１の秘匿情報隠蔽用ラベルによれば、この秘匿情報隠蔽用ラベルに秘匿情報記入片を設けて、ここに秘匿情報を記入し、この秘匿情報記入片を秘匿情報隠蔽シートに接着して間接的に秘匿情報を記載するので、秘匿情報隠蔽シートが薄くても、不透視性を高めるための裏印刷を施す必要がなく、また、秘匿情報隠蔽シートに筆圧による凹凸の形跡が残ることがないので、裏面側から秘匿情報を判読されることがなく、さらには、記入した秘匿情報は透明シートで被覆保護されるので、改ざんされる虞がないうえ、型抜部の周辺に余裕があるので、説明文や案内文等の情報を表示することができるほか、手頃な大きさなので、取扱も容易であるという効果を奏する。
【図面の簡単な説明】
【図１】  秘匿情報隠蔽用ラベルを示す平面図。
【図２】  図１のＢ−Ｂ線断面図。
【図３】  秘匿情報を記入した状態の斜視図。
【符号の説明】
３１    秘匿情報隠蔽用ラベル
３２    隠蔽ラベル
３３    隠蔽層
３４，３６    透明シート
３５    疑似接着剤層
３７    粘着剤
３８    剥離紙
３９    秘匿情報記入片
４０    秘匿情報記入部
４１    粘着剤
４２    剥離紙
５２    暗証番号
４４    型抜部
４５    切り込み
【図１】
0003727195.tif 000002
【図２】
0003727195.tif 000003
【図３】
0003727195.tif 000004